(57)【要約】【課題】  審美性に優れるとともに、義歯床からの脱落を防止することのできる機械的維持手段であるアンダーカットのある維持孔や維持突起を備えた人工歯を成形する方法を提供する。【解決手段】  人工歯の成形型によって形成されるキャビティ内に餅状レジンを填入し、該餅状レジンを重合硬化させる人工歯の成形方法であって、前記成形型が、シリコンゴムからなる基底部型と歯冠部型に分割される型からなり、基底部型の人工歯の基底面対応部に維持孔形成用の分割方向に対しアンダーカットのある突起、または、維持突起形成用のアンダーカットのある孔を設けてなる。【選択図】    図１
2005066166.tif 000002
【特許請求の範囲】
【請求項１】
人工歯の成形型によって形成されるキャビティ内に餅状またはペースト状レジンを填入し、該餅状またはペースト状レジンを重合硬化させる人工歯の成形方法であって、
前記成形型のうち少なくとも分割方向に対してアンダーカットを有する成形型がシリコンゴムからなることを特徴とする人工歯の成形方法。
【請求項２】
前記成形型が、歯冠部型と基底部型に分割される型からなることを特徴とする請求項１記載の人工歯の成形方法。
【請求項３】
前記歯冠部型が内層から外層を多層成形する複数の積層用型からなり、内層側から順次多層成形することを特徴とする請求項２記載の人工歯の成形方法。
【請求項４】
前記歯冠部型が外層から内層を多層成形する複数の積層用型からなり、外層側から順次多層成形することを特徴とする請求項２記載の人工歯の成形方法。
【請求項５】
前記基底部型がシリコンゴムからなり、人工歯の基底面対応部に維持孔形成用の分割方向に対してアンダーカットを有する突起が設けられていることを特徴とする請求項２、３または４記載の人工歯の成形方法。
【請求項６】
前記基底部型がシリコンゴムからなり、人工歯の基底面対応部に維持突起形成用の分割方向に対してアンダーカットを有する孔が設けられていることを特徴とする請求項２、３または４記載の人工歯の成形方法。
【請求項７】
前記餅状またはペースト状レジンの重合硬化がシリコンゴムを透過した光によって行われる光重合によることを特徴とする請求項１、２、３、４、５または６記載の人工歯の成形方法。
【発明の詳細な説明】
【技術分野】
【０００１】
この発明は、人工歯の成形方法に関するものである。さらに詳しくは、この発明は、義歯に使用される人工歯のうちのレジン歯、硬質レジン歯、コンポジットレジン歯といったレジン系の人工歯の成形方法に関するものである。
【背景技術】
【０００２】
義歯に使用する人工歯としては、従来より、高価な陶歯と比べ、安価で、品質の一定したものが得られることから成形金型によって製造されるレジン歯、硬質レジン歯、コンポジットレジン歯といったレジン系の人工歯（以下「人工歯」は、特に断らない限り「レジン歯、硬質レジン歯、コンポジットレジン歯」を意味する。）が広く使用されている。
【０００３】
この種の人工歯のうちレジン歯の成形金型による製造方法を例にとって以下説明すると、レジン歯は、主として、レジン等の粉末とモノマー液とを混合して餅状レジンとし、該餅状レジンを人工歯の成形金型によって形成されるキャビティ内に填入し、形状を付与した後、餅状レジンを重合硬化させて成形する方法が採用されている。
【０００４】
一般に成形金型による成形においては、金型の分割方向に対し金型にアンダーカットがあると、成形品を取り出す際に金型のアンダーカットの部分が引っかかり、成形品を取り出すことができない。このため成形金型は、金型の分割方向に対しアンダーカットがない形状とせざるを得ない。例えば、図２１（ａ）、（ｂ）に示すように切歯用の人工歯４２の外形を形成する金型４０の分割ライン４１は、審美上の観点から最大豊隆部より舌側にあることが好ましいが（２点鎖線参照）、アンダーカットが生ずることから、分割ライン４１は最大豊隆部と一致させることとなる。
【０００５】
また、とりわけ、審美性が要求される前歯用の人工歯においては、例えば、図２２に示すようにコア部４３、ボディ部４４、エナメル部４５の順に内層から唇側に向かって３層に積層された多層構造の人工歯が採用される。図２２に示す多層構造の上顎切歯用の人工歯４６は、図２３に示すような多層構造を構成するのに必要な数の金型（すなわち、（ａ）舌側部用型４７、（ｂ）コア部用型４８、（ｃ）ボディ部用型４９、（ｄ）エナメル部用型５０）と、コア部用餅状レジン、ボディ部用餅状レジン、エナメル部用餅状レジンを使用して、コア部、ボディ部、エメル部を順次積層することで作製されるが、前述したことから明らかなように、各層を形成する金型の分割ラインは、いずれも分割方向に対しアンダーカットが生じない各層の最大豊隆部と一致させたものとなる。このような多層構造の上顎切歯用の人工歯は、アンダーカットを与えることができない成形金型を用いて、その成形の可能な範囲において、天然歯に似た審美性を唇側面側から再現しようとしたものに他ならず、図２４に示すような天然の前歯５１に比べ、形状、色調等の審美性において未だ満足できるまでには至っていない。
【０００６】
臼歯用の人工歯においては、耐摩耗性や曲げ強度等の機械的強度に加え審美性の観点からも多くは多層構造のものが採用されており、成形金型により作製される上顎切歯用の人工歯におけると同様なことは、程度の差こそあれ成形金型により作製される臼歯用の人工歯においてもいえることであって、未だ天然の臼歯に比べ満足できるまでには至っていない。
【０００７】
硬質レジン歯も餅状レジンを用いることから同様の欠点を有するものであり、ペースト状レジンを成形金型を用いて成形するコンポジットレジン歯について同様であって、未だ天然歯に比べ満足できるまでには至っていないのが実情である。
【０００８】
また、このような人工歯を用いた義歯は、作業模型上で人工歯を排列した後、蝋義歯を作製し、該蝋義歯をフラスコ埋没し、流蝋してできた空洞部に義歯床用のペースト状レジンまたは餅状レジンを填入して、重合硬化させ、人工歯の基底面側を義歯床内に埋設接着して作製されるのが一般的である。このようにして作製された義歯は、口腔内に装着されて使用されるが、例えば、前歯においては、ものを噛み切ろうとした時等に歯軸と偏在した方向に働く力によってモーメントが生じ、基底面側と義歯床の接着界面部が破壊したり、界面剥離したりすることになる。また、臼歯においては、咀嚼時等に基底面側と義歯床の界面部に生ずる応力集中が繰り返し作用することで、基底面側と義歯床との接着界面部が破壊したり、界面剥離し、比較的短期間のうちに義歯床から脱落することになる。このようなことから、人工歯の基底面に維持孔を設け、該維持孔の中に義歯床用のレジンを侵入させ突起状部を形成することで、人工歯の義歯床からの脱落を防止することが試みられている（例えば、特許文献１参照）。しかしながら、成形金型を用いて形成できる人工歯６１の維持孔６２は、例えば、図２５に示されるような金型の分割方向に対し平行でアンダーカットのないものであって、審美性等において、未だ十分なものとは言い難い。歯科医院や技工所において、バーやポイント等を用いて人工歯の基底面の維持孔に対しアンダーカットを与えることで、人工歯と義歯床とに機械的維持を与えることも行われているが、このような方法では、一つ一つの人工歯にアンダーカットのある維持孔を形成することになり、手間がかかる。また、バーやポイント等によって人工歯に微細なクラックが入る恐れがあり、使用中に人工歯が破折したりすることにもなる。
【特許文献１】登録実用新案第３０６４１３８号公報（図１）
【発明の開示】
【発明が解決しようとする課題】
【０００９】
この発明は、上記のような実情に鑑み鋭意研究の結果創案されたものであり、審美性に優れた人工歯を成形する方法を提供することを目的とするものであり、また、前記目的に加え、義歯床からの脱落を防止することのできる機械的維持手段であるアンダーカットのある維持孔や維持突起を備えた人工歯を成形する方法を提供することも目的としている。
【課題を解決するための手段】
【００１０】
上記課題を解決するために、この発明は、人工歯の成形型によって形成されるキャビティ内に餅状またはペースト状レジンを填入し、該餅状またはペースト状レジンを重合硬化させる人工歯の成形方法であって、前記成形型のうち少なくとも分割方向に対してアンダーカットを有する成形型がシリコンゴムからなることを特徴とする。
ここにおいて、「填入」は、成形型に餅状またはペースト状レジンを充填することと、餅状またはペースト状レジンに成形型による人工歯に必要な外形を与えることを意味するものとして使用し、必要に応じ加圧することを含む。なお、以下においては、餅状レジン、または、ペースト状レジンを特に区別しない場合は、「餅状レジン等」を用いる。
【００１１】
この方法によって成形された人工歯は、成形型によって形成されるキャビティ内において、成形型の分割方向に対してアンダーカットを有する形状となっているのにも係わらず、アンダーカットを有する成形型がシリコンゴムからなることにより、成形型の分割操作に伴ってアンダーカットの箇所が弾性変形し、人工歯を成形型から取り出すことができる。そして、人工歯を取り出した後、シリコンゴムの成形型は、元の形状に戻る。従って、この成形方法によれば、成形型の分割ラインを成形する人工歯の最大豊隆部と一致させる必要がなく、任意の位置に分割ラインを設定でき、審美性に優れた人工歯を得ることができることになる。
【００１２】
なお、分割方向に対してアンダーカットを有しない成形型については、シリコンゴムからなるものであってもよいが、例えば、メチルメタクリレートをベースにした餅状レジン等と接着性のない合成樹脂製や金属製のものであってもよい。
分割方向に対してアンダーカットを有する成形型を形成するシリコンゴムとしては、填入される餅状レジン等に人工歯の形状を正確に付与することができ、餅状レジン等が重合硬化して得られた人工歯を成形型から取り出す際、成形型の分割操作に伴ってシリコンゴムの成形型におけるアンダーカットの箇所が破損することなく弾性変形して人工歯を取り出すことができ、その後、元の成形型の形状に戻ることができる機械的特性を有すればよい。
【００１３】
前記成形型が、歯冠部型と基底部型に分割される型からなることを特徴としてもよい。ここにおいて、前記歯冠部型が内層から外層を多層成形する複数の積層用型からなり、内層側から順次多層成形することとしてもよく、または、前記歯冠部型が外層から内層を多層成形する複数の積層用型からなり、外層側から順次多層成形することとしてもよい。
【００１４】
より具体的には、例えば、３層構造の人工歯の成形においては、以下の（１）、または、（２）に示すようにして成形することができる。
すなわち、（１）前記歯冠部型が３層成形用のコア部用型、ボディ部用型、エナメル部用型からなり、前記基底部型とコア部用型によって形成されるキャビティ内にコア部用餅状レジン等を填入し、該コア部用餅状レジン等を重合硬化させてコア部を成形した後、前記コア部用型を離型し、次いで、前記コア部が残った基底部型とボディ部用型によって形成されるキャビティ内にボディ部用餅状レジン等を填入し、該ボディ部用餅状レジン等を重合硬化させてボディ部を成形して該ボディ部を前記コア部に積層した後、前記ボディ部用型を離型し、次いで、ボディ部がコア部に積層された状態の基底部型とエナメル部用型によって形成されるキャビティ内にエナメル部用餅状レジン等を填入し、該エナメル部用餅状レジン等を重合硬化させてエナメル部を成形して該エナメル部を前記コア部に積層されたボディ部に積層する。
【００１５】
または、（２）前記歯冠部型が３層成形用のコア部用型、ボディ部用型、エナメル部用型からなり、前記エナメル部用型とボディ部用型によって形成されるキャビティ内にエナメル部用餅状レジン等を填入し、該エナメル部用餅状レジン等を重合硬化させてエナメル部を成形した後、前記ボディ部用型を離型し、次いで、前記エナメル部が残ったエナメル部用型とコア部用型によって形成されるキャビティ内にボディ部用餅状レジン等を填入し、該ボディ部用餅状レジン等を重合硬化させてボディ部を成形して該ボディ部を前記エナメル部に積層した後、前記コア部用型を離型し、次いで、前記ボディ部がエナメル部に積層された状態のエナメル部用型と前記基底部型によって形成されるキャビティ内にコア部用餅状レジン等を填入し、該コア部用餅状レジン等を重合硬化させてコア部を成形して該コア部を前記ボディ部に積層する。
【００１６】
従来の金型による人工歯の成形においては、金型の分割ラインに沿ってバリが生じ、該バリは、最大豊隆部に一致していることから、人工歯の審美上からも完全に除去することが必要であり、バレル研磨等によって取り除かれる。しかしながら、例えば、バリ取りをバレル研磨で行う際、バレル研磨が過度の場合は、エナメル層の表面の光沢が消失してしまうことから、バリ取りが完全でないものの、人工歯の表面の光沢を損なうことのない程度にバレル研磨を行い、残ったバリを１歯毎、手作業によって取り除き、形態修正等を行っているのが現状であった。そのため、金型による人工歯の製造には、長時間を要するとともに、熟練者を必要とし、生産性が低く、製品単価が高くならざるを得なかった。
【００１７】
これに比べ、この発明のように、成形型として、基底部型と歯冠部型に分割される型を用いると、成形時に基底部型と歯冠部型の分割ラインに沿ってバリが生じたとしても、このバリの部分は、義歯床内に埋設接着されることから、義歯床内に埋設接着されるのに支障のない程度にバリ取りを行えばよく、バリ取りを、例えば、バレル研磨するとしても、表面光沢を損なわない程度にバレル研磨すればよく、また、バレル研磨後に手作業によるバリ取りを行うにしても、バリが目立たなくなる程度に行えばよく、短時間で可能となるとともに、熟練者を必要とせず、人工歯の生産性が向上し、製品単価を下げることができることになる。
【００１８】
そして、前記基底部型がシリコンゴムからなり、人工歯の基底面対応部に維持孔形成用の分割方向に対してアンダーカットを有する突起が設けられていてもよく、または、前記基底部型がシリコンゴムからなり、人工歯の基底面対応部に維持突起形成用の分割方向に対してアンダーカットを有する孔が設けられていてもよい。
【００１９】
このような分割方向に対し維持孔形成用のアンダーカットを有する突起が設けられた基底部型、または、維持突起形成用のアンダーカットを有する孔が設けられた基底部型を用いることで、成形された人工歯にアンダーカットを有する維持孔、または、アンダーカットを有する維持突起が、バーやポイント等を用いることなく、成形によって容易に形成されることになる。成形された人工歯を取り出す際に、基底部型の維持孔形成用のアンダーカットを有する突起、または、基底部型の維持突起形成用のアンダーカットを有する孔の周囲が弾性変形して、人工歯が取り出せ、突起、または、孔は元の形状に戻る。
アンダーカットを有する維持孔、または、アンダーカットを有する維持突起を備えた人工歯は、その基底面側が義歯床内に埋設接着された際、維持孔、または、維持突起によって機械的維持が加わることになり、脱落が防止される。維持孔、維持突起の形成は、バーやポイント等を用いないで、成形によることから、安価であり、また、人工歯にクラックが入らず、使用中に破折したりする恐れもない。
【００２０】
また、前記餅状またはペースト状レジンの重合硬化がシリコンゴムを透過した光によって行われる光重合によることを特徴としてもよい。
光重合させるには、成形型全てが光透過性シリコンゴムからなるものであることが好ましい。光重合には、後述する光重合型開始剤を使用すればよい。
【発明の効果】
【００２１】
この発明は、以上詳しく説明したように構成されているので、以下に記載されるような効果を奏する。
すなわち、この発明の成形方法は、成形型のうち少なくとも分割方向に対してアンダーカットを有する成形型がシリコンゴムからなるものを使用することから、成形型の分割ラインを成形する人工歯の最大豊隆部と一致させる必要がなく、任意の位置に分割ラインを設定でき、審美性に優れた人工歯を容易に、また、安価に得ることができる。
そして、成形型として、基底部型と歯冠部型に分割される型からなり、基底部型の人工歯の基底面対応部に維持孔形成用の分割方向に対しアンダーカットのある突起、または、維持突起形成用のアンダーカットのある孔を設けたものを採用することで、審美性に優れていることに加え、義歯床からの脱落を確実に防止するアンダーカットのある維持孔、または、維持突起を備えた人工歯を、容易に、得ることができる。
【発明を実施するための最良の形態】
【００２２】
以下、実施するための最良の形態を示し、さらに詳しくこの発明について説明する。もちろんこの発明は以下の形態によって限定されるものではない。
【００２３】
先ず、この発明におけるシリコンゴムの成形型は、例えば、人工歯の原型モデルを未架橋のシリコンゴム中に設置し、シリコンゴムを架橋させることで製造することができる。
また、光造形システムによってシリコンゴムの成形型を製造することができる。
シリコンゴムとしては、一液型または二液型の常温硬化性のもののうちから適宜選択して使用すればよい。
【００２４】
次に、この発明における餅状レジン等について説明する。餅状レジン等としては、人工歯を成形するのに使用されるものであれば特に限定されるものではないが、以下に概略説明するようなレジン歯用の餅状レジン、硬質レジン歯用の餅状レジン、コンポジットレジン歯用のペースト状レジンが使用できる。
すなわち、レジン歯に用いられる餅状レジンは、ポリメチルメタクリレート（ＰＭＭＡ）等の粉末状のポリマーと、メチルメタクリレート（ＭＭＡ）に例示される液体状のモノマーとを主成分とし、前記モノマーによってポリマーが膨潤し餅状となったものであって、必要に応じて、重合触媒、着色剤、酸化安定剤、紫外線吸収剤、顔料、染料等が添加されたものが例示できる。
【００２５】
硬質レジン歯に用いられる餅状レジンとしては、ポリメチルメタクリレート（ＰＭＭＡ）等の粉末状ポリマーと、メチルメタクリレート（ＭＭＡ）に例示される液体状のモノマー、無機質充填材、有機質無機質複合充填材等のフィラーとを主成分とし、前記モノマーによってポリマーが膨潤し餅状となったものであって、必要に応じて、重合触媒、着色剤、酸化安定剤、紫外線吸収剤、顔料、染料等が添加されたものが例示できる。
【００２６】
無機質充填材としては、石英粉末、アルミナ粉末、シリカ粉末、カオリン、タルク、炭酸カルシウム、バリウムアルミノシリケートが例示できる。これらの無機質充填材は、１種または２種以上を使用することができる。
【００２７】
また、有機質無機質複合充填材としては、前記無機質充填材をメタクリレートまたはアクリレートのモノマーと混合した後、重合させ、次いで、粉砕したものが例示される（特開平１１−３３５２２１号公報参照）。
【００２８】
コンポジットレジン歯に用いられるペースト状レジンとしては、ウレタンジメタクリレート（ＵＤＭＡ）等の多官能性液状モノマーと、シリカ等のフィラーとを主成分とし、前記モノマーにフィラーを混合分散させ、ペースト状となったものであって、必要に応じて、重合触媒、着色剤、酸化安定剤、紫外線吸収剤、顔料、染料等が添加されたものが例示できる。
【００２９】
重合触媒としては、加熱重合型開始剤、化学重合型開始剤、光重合型開始剤等の重合開始剤を単独または２種以上を併用することができる。
加熱重合型開始剤としては、ベンゾイルパーオキサイド、ケトンパーオキサイド、パーオキシケタール、ハイドロパーオキサイド、ジアルキルパーオキサイド、ジアシルパーオキサイド、パーオキシエステル、パーオキシカーボネイト等の過酸化物、２，２−アゾビスイソブチロニトリル、２，２−アゾビス２−メチルブチロニトリル、２，２−アゾビス２−メチルヘプトニトリル、１，１−アゾビス１−シクロヘキサンカルボニトリル、ジメチル−２，２−アゾビスイソブチレート、２，２−アゾビス−（２−アミノプロパン）ジハイドライド、２，２−アゾビス（２−メチルブチロニトリル）、４，４−アゾビス−４−シアノ吉草酸、２，２−アゾビス−２，４−ジメチルバレロニトリル等のアゾ系化合物が採用できる。
【００３０】
化学重合型の開始剤としては、過酸化物と三級アミンや有機金属化合物、ピリミジントリオン酸誘導体と４級アンモニウムクロライドの組合せ等が採用できる。
光重合型開始剤としては、増感剤と還元剤との組合せが一般的に使用される。増感剤としては、カンファーキノン、ベンジル、ジアセチル、ベンジルジメチルケタール、ベンジルジエチルケタール、ベンジルジ（２−メトキシエチル）ケタール、４，４−ジメチルベンジルジメチルケタール、アントラキノン、２−クロロアントラキノン、１，２−ベンズアントラキノン、１−ヒドロキシアントラキノン、１−メチルアントラキノン、２−エチルアントラキノン、１−ブロモアントラキノン、チオキサントン、２−イソプロピルチオキサントン、２−ニトロチオキサントン、２−メチルチオキサントン、２，４−ジメチルチオキサントン、２，４−ジエチルチオキサントン、２，４−ジイソプロピルチオキサントン、２−クロロ−７−トリフルオロメチルチオキサントン、チオキサントン−１０，１０−ジオキシド、チオキサントン−１０−オキサイド、ベンゾインメチルエーテル、ベンゾインエチルエーテル、イソプロピルエーテル、ベンゾインイソブチルエーテル、ベンゾフェノン、ビス（４−ジメチルアミノフェノン）ケトン、４，４−ビスジエチルアミノベンゾフェノン、アシド基を含む化合物等が採用でき、これらの化合物を１種、または２種以上組み合わせてもよく、用途に応じ化合物およびその割合を任意に選択する。還元剤としては、３級アミン等が一般に使用される。３級アミンとしては、ジメチルアミノエチルメタクリレート、トリエタノールアミン、４−ジメチルアミノ安息香酸メチル、４−ジメチルアミノ安息香酸エチル、４−ジメチルアミノ安息香酸イソアミルが採用される。その他には、ベンゾイルパーオキサイド、有機金属化合物、スルフィン酸誘導体等が使用される。光重合型開始剤を単独または２種以上併用する場合は、紫外線若しくは可視光線等の活性光線を照射することにより重合反応が達せられる。光源としては、超高圧、高圧、中圧および低圧の各種水銀灯、ケミカルランプ、カーボンアーク灯、メタルハライドランプ、蛍光ランプ、タングステンランプ、キセノンランプ、アルゴンイオンレーザー等を使用することができる。
重合開始剤の添加量は、開始剤の能力に応じ適宜決定すればよい。
【００３１】
次に、この発明の人工歯の成形方法をより具体的に説明する。
図１は、この発明の人工歯の成形方法において使用する成形型であって、上顎切歯用の人工歯を成形するためのものを示す。図１は、３層からなる人工歯を成形するためのものであって、（ａ）は基底部型１、（ｂ）はコア部用型２、（ｃ）はボディ部用型３、（ｄ）はエナメル部用型４を示す。コア部用型２、ボディ部用型３、エナメル部用型４は、この発明における歯冠部型を構成し、それぞれ、アンダーカットを有したものとなっている。基底部型１には、人工歯の基底面に対応する箇所の略中央に、人工歯の維持孔形成用の突起７が設けられている。該突起７は、頭部７ａが首部７ｂに対して膨大した形状をしており、基底部型１は、分割方向に対しアンダーカットを有することになる。基底部型１の外周には、位置決め用の雄型段部１ａが形成されており、コア部用型２、ボディ部用型３、エナメル部用型４の外周に形成された雌型段部２ａ、３ａ、４ａとそれぞれ嵌合し、これらの型が基底部型１に対し位置決めされるようになっている。
上記基底部型１、コア部用型２、ボディ部用型３、エナメル部用型４は、いずれも、シリコンゴムからなるものである。そして、これらの型は、透明であって、何れも、光の透過性が良好なものである。
【００３２】
以下に、上記基底部型１、コア部用型２、ボディ部用型３、エナメル部用型４を用いて、上顎切歯用の人工歯を餅状レジンを使用して成形する方法を説明する。使用する餅状レジンは、コア部用、ボディ部用、エナメル部用の３種類で、それぞれ、コア部用、ボディ部用、エナメル部用に色調が調製されており、また、重合触媒として光重合型開始剤が添加され、その他、必要に応じ、酸化安定剤、紫外線吸収剤等を含むものとしている。
【００３３】
上顎切歯用の人工歯の成形は、先ず、図２に示すように基底部型１とコア部用型２によって形成されるキャビティ８内にコア部用餅状レジンを填入する。すなわち、コア部用型２に所定量のコア部用餅状レジンを入れて、コア部用型２の雌型段部２ａに基底部型１の雄型段部１ａを嵌合させ、コア部の形状を付与する。
【００３４】
次いで、重合用の光を、例えば、コア部用型２の側方からコア部用餅状レジンに照射して、重合硬化させ、コア部９を成形する。
そして、コア部９を基底部型１に残したまま、コア部用型２のみを取り外す。基底部型１とコア部用型２とを分割しようとすると、基底部型１に設けられた維持孔形成用の突起７による抵抗の方がコア部用型２のアンダーカットによる抵抗よりも大きくなるようにアンダーカットが設定されていることから、コア部用型２のアンダーカットの部分の方が基底部型１の維持孔形成用の突起７の頭部７ａの弾性変形よりも容易に弾性変形することになり、コア部用型２を取り外すことができる。図３は、コア部用型２が取り外され、基底部型１に成形されたコア部９が残った状態を示す。
【００３５】
次いで、図４に示すように、成形されたコア部９が残った基底部型１とボディ部用型３によって形成されるキャビティ１０内にボディ部用餅状レジンを填入する。すなわち、ボディ部用型３に所定量のボディ部用餅状レジンを入れて、ボディ部用型３の雌型段部３ａに基底部型１の雄型段部１ａを嵌合させ、ボディ部の形状を付与する。
【００３６】
次いで、重合用の光を、例えば、ボディ部用型３の側方からボディ部用餅状レジンに照射して、重合硬化させ、ボディ部１１を成形することでコア部９に積層させる。
そして、ボディ部１１がコア部９に積層された状態において、ボディ部用型３だけを取り外す。ボディ部１１がコア部９に積層された状態において、基底部型１とボディ部用型３とを分割しようとすると、基底部型１に設けられた維持孔形成用の突起７による抵抗の方がボディ部用型３のアンダーカットによる抵抗よりも大きくなるようにアンダーカットが設定してあることから、ボディ部用型３のアンダーカットの部分の方が基底部型１の維持孔形成用の突起７の頭部７ａの弾性変形よりも容易に弾性変形することになり、ボディ部用型３を取り外すことができる。図５に、ボディ部用型３が取り外され、ボディ部１１がコア部９に積層された状態を基底部型１とともに示す。
【００３７】
次いで、図６に示すように、ボディ部１１がコア部９に積層された状態の基底部型１とエナメル部用型４によって形成されるキャビティ１３内にエナメル部用餅状レジンを填入する。すなわち、エナメル部用型４に所定量のエナメル部用餅状レジンを入れて、エナメル部用型４の雌型段部４ａに基底部型１の雄型段部１ａを嵌合させ、エナメル部の形状を付与する。
次いで、重合用の光を、例えば、エナメル部用型４の側方からエナメル部用餅状レジンに照射して、重合硬化させ、エナメル部１４を成形することでボディ部１１に積層させ、３層構造の上顎切歯用の人工歯１５となる。
【００３８】
そして、この成形された上顎切歯用の人工歯１５から、先ず、エナメル部用型４だけを取り外す。エナメル部１４、ボディ部１１、コア部９の順に積層された状態において、基底部型１とエナメル部用型４とを分割しようとすると、基底部型１に設けられた維持孔形成用の突起７による抵抗の方がエナメル部用型４のアンダーカットによる抵抗よりも大きくなるようにアンダーカットが設定してあることから、エナメル部用型４のアンダーカットの部分の方が基底部型１の維持孔形成用の突起７の頭部７ａの弾性変形よりも容易に弾性変形することになり、エナメル部用型４を取り外すことができる。図７は、エナメル部用型４が取り外された上顎切歯用の人工歯１５を基底部型１とともに示す。
そして、この成形された人工歯１５から基底部型１を引き離すようにすれば、基底部型１の維持孔形成用の突起７の頭部７ａが順次弾性変形して、人工歯１５の基底面１５ａに形成されたアンダーカットのある維持孔１６（図８参照）から、抜き出すことができる。
人工歯１５の成形に使用した基底部型１、コア部用型２、ボディ部用型３、エナメル部用型４は、人工歯を取り出した後、元の形状に戻ることから、型寿命に達するまでは、再使用できる。なお、コア部用型２、ボディ部用型３は、アンダーカットのないものであってもよい。
【００３９】
図８は、基底部型１を取り去った状態の上顎切歯用の人工歯１５であって、コア部９の外周をボディ部１１が被覆し、また、ボディ部１１の外周をエナメル部１４が被覆した３層構造となっており、近心側、遠心側、唇側、舌側、いずれの方向からも形状、色調を含め天然の上顎切歯と遜色のない審美性を得ることができる。この上顎切歯用の人工歯１５の分割ラインは、人工歯１５の基端部に生じており、最大豊隆部に一致しているものではなく、従って、成形時に分割ラインに沿ってバリができたとしても、バリは人工歯１５の基端部に生じており、係る部分は、義歯床内に埋設接着されることから、義歯床内に埋設接着されるのに支障のない程度にバリ取りを行えばよく、人工歯１５の審美性が損なわれることが無い。
なお、コア部等の各層を成形した時、薄い板状のバリが生じることがあるが、そのままでもバリが次の層の正確な成形に支障をきたす恐れがない場合はそのまま次の層の成形を行い、バリが次の層の正確な成形に支障をきたす恐れがある場合は、次の層の正確な成形に支障をきたさない程度に、例えば、薄い金属製のヘラ等で割って除去すればよい。人工歯の多層成形が完了した時にあるバリは、バレル研磨等で除去すればよい。
【００４０】
図９は、通法に従って、上顎切歯用の人工歯１５の基底面１５ａおよび歯頸線相当部までを義歯床１７に埋設接着させた状態を示す。図９に示されるように、人工歯１５の基底面１５ａには、アンダーカットのある維持孔１６が形成されていることから、維持孔１６の中に義歯床用のレジンを侵入させ突起状部を形成することで、義歯床１７との接着に加え確実な機械的維持が可能となる。
従って、この成形方法によれば、天然歯と遜色のない審美性に優れ、また、義歯床からの脱落を防止することのできるアンダーカットのある維持孔を備えた人工歯を容易に得ることができることになる。
【００４１】
また、図１０に示すように、シリコンゴムからなる成形型を、例えば、ＰＭＭＡ、ＰＳ、ＰＰのようなシリコンゴムよりも硬度、強度に優れた合成樹脂製、または、金属製の補強枠２０を使用して、成形型の側面を囲むようにしてもよい。このようにすれば、餅状レジンを充填後、成形型を縦方向から加圧しても、成形型の変形を確実に押さえることができることから、餅状レジンに人工歯の形状をより正確に与えることができる。図１０においては、成形型として基底部型１とコア部用型２を用いている。ＰＭＭＡ、ＰＳ、ＰＰは、透明で、硬度、強度も優れることから、補強枠として採用した場合、重合用の光を補強枠の側方から光重合開始剤を含有する餅状レジンに照射し、光重合を行わせることができる。
不透明な合成樹脂、または、金属の補強枠の場合は、シリコンゴムからなる成形型の上下方向から重合用の光を照射するようにすればよい。
また、アンダーカットを有しない成形型がある場合は、その成形型をシリコンゴム製とする必要は必ずしもなく、餅状レジンが重合硬化した時に接着しない合成樹脂製であってもよく、また、金属製であってもよい。
【００４２】
図１１は、図８に示す３層構造の上顎切歯用の人工歯１５を成形する他例の成形型であって、（ａ）はエナメル部用型２１、（ｂ）はボディ部用型２２、（ｃ）はコア部用型２３、（ｄ）は基底部型２４を示す。
図１１に示す成形型を使用して上顎切歯用の人工歯１５を成形する工程を図１２〜図１７に示す。図１２は、エナメル部用型２１とボディ部用型２２でキャビティ２５を形成する説明図であり、図１３は、エナメル部１４が成形され、ボディ部用型２２を取り外した説明図である。図１４は、成形されたエナメル部１４が残ったエナメル部用型２１とコア部用型２３でキャビティ２６を形成する説明図であり、図１５は、ボディ部１１がエナメル部１４に積層され、コア部用型２３を取り外した説明図である。図１６は、ボディ部１１がエナメル部１４に積層された状態のエナメル部用型２１と基底部型２４でキャビティ２７を形成する説明図であり、図１７は、コア部９がボディ部１１に積層され、エナメル部用型２１を取り外した説明図である。
【００４３】
この工程による３層構造の上顎切歯用の人工歯の成形は、エナメル部１４から成形されるものであり、図１に示した成形型を使用して成形する図２〜図７で説明した工程と略逆であることから、詳細な説明は省略する。なお、各層用の餅状レジンを光重合開始剤を用いて重合硬化させる場合は、餅状レジンへの重合用の光の照射は、例えば、成形型の上方から行うようにすればよい。
【００４４】
以上において説明した人工歯の成形方法は、基底面にアンダーカットのある維持孔を有する人工歯を成形する方法であるが、維持突起形成用のアンダーカットのある孔が設けられた基底部型を用いて、基底面にアンダーカットの維持突起のある人工歯を成形することもできる。
【００４５】
図１８は、図１９に示す基底面にアンダーカットのある維持突起２８を有する３層構造の上顎切歯用の人工歯２９を成形するために使用する成形型の一例であって、（ａ）は基底部型３１、（ｂ）はコア部用型３２、（ｃ）はボディ部用型３３、（ｄ）はエナメル部用型３４を示す。基底部型３１に、維持突起形成用のアンダーカットのある孔３５が設けられている点が、図１に示した成形型と相違する。
図１９に示す３層構造の人工歯２９を、図１８に示す成形型を使用して成形する工程は、図２〜図７に示した工程と略同一であることから、工程を示す図、および、詳細な説明は省略する。
【００４６】
この発明の人工歯の成形方法は、基底部型と歯冠部型に分割される成形型から人工歯を成形する方法に限られず、最大豊隆部より舌側に分割ラインを有するシリコンゴムからなる成形型によって人工歯を成形してもよい。
図２０（ａ）、（ｂ）は、上顎切歯用の人工歯３６を成形するのに使用する成形型であって、説明の便宜上、単層構造の人工歯用の成形型として示しているが、３層構造の人工歯用であってもよいことはいうまでもない。図２０に示す成形型は、唇側型３７と舌側型３８とに分割され、何れもシリコンゴムからなる。そして、唇側型３７と舌側型３８の分割ラインは、人工歯３６の最大豊隆部（図中、２点鎖線で示す。）より舌側に位置する。唇側型３７は、分割方向に対しアンダーカットを有している。
【００４７】
この成形型に上顎切歯用の餅状レジンを填入し、光重合開始剤を使用している場合は、成形型の外側から重合用の光を照射して重合硬化させることで、最大豊隆部より舌側に分割ラインを有する上顎切歯用の人工歯３６を成形することができる。
そして、唇側型３７と舌側型３８を分割すると、先ず、アンダーカットのない舌側型３８が取り外され、人工歯３６の舌側が露出する。そして、例えば、唇側型３７の上面側から人工歯３６を押し出すと、唇側型３７のアンダーカットの部分が弾性変形して、唇側型３７から取り出すことができる。
唇側型３７は、人工歯を取り出した後、元の形状に戻る。
【００４８】
このようにして得られた上顎切歯用の人工歯３６は、最大豊隆部より舌側に分割ラインを有することから、義歯に使用した時、分割ラインが目立たず十分な審美性を有する。
なお、図２０に示す舌側型３８として、上顎切歯の基底面に対応する箇所に成形型の分割方向に対し維持孔形成用のアンダーカットのある突起、あるいは、維持突起用のアンダーカットのある孔を備えたものを採用すれば、審美性に優れていることに加え、義歯床からの脱落を確実に防止する上顎切歯を得ることができる。
従って、最大豊隆部より舌側に分割ラインを有するとともに、人工歯の基底面に対応する箇所に維持孔形成用のアンダーカットのある突起、あるいは、維持突起用のアンダーカットのある孔を備えたシリコンゴムからなる成形型を採用することで、審美性に優れていることに加え、義歯床からの脱落を確実に防止する上顎切歯を、容易に、また、安価に得ることができる。
【００４９】
以上は、上顎切歯用の人工歯の成形方法について種々説明したが、上顎、下顎の犬歯、臼歯等の他の人工歯も同様にして成形することができることは、明らかである。
なお、硬質レジン歯、コンポジットレジン歯の成形は、前記した餅状レジンを用いたレジン歯の成形方法に準じて行えばよいことから、詳細な説明は省略する。
次に、実施例を示しさらに詳しく説明する。
【実施例】
【００５０】
上顎切歯の基底部、コア部、ボディ部、エナメル部の原型を用い、シリコンゴムからなる図１に示すような基底部型、コア部用型、ボディ部用型、エナメル部用型を作製し、図８に示す３層からなる上顎切歯用の人工歯を前記したようにして成形した。
基底部型に設けた維持孔形成用の突起の頭部の直径は、２．５ｍｍ、首部の直径は、３．５ｍｍとした。
平均分子量８５０，０００、平均粒径１２０μｍの粉末状ＰＭＭＡ１１重量部、ＭＭＡ２２重量部、光重合開始剤１重量部を使用し、コア部用に色調を調製したものをコア部用餅状レジン、ボディ部用に色調を調製したものをボディ部用餅状レジン、エナメル部用に色調を調製したものをエナメル部用餅状レジンとした。
光重合開始剤としては、カンファーキノン１重量部とジメチルアミノエチルメタクリレート１．５重量部を使用した。光重合のための光源として、ラボライトＩＩ（（株）ジーシー製）を使用した。
【００５１】
コア部用の餅状レジンの重合硬化時間は、１０ｍｉｎ、ボディ部用の餅状レジンの重合硬化時間は、１０ｍｉｎ、エナメル部用の餅状レジンの重合硬化時間は、１０ｍｉｎである。
各成形において、コア部用型、ボディ部用型、エナメル部用型の分割は、何れも容易に行うことができた。また、成形後の人工歯から基底部型の取り外しも容易に行うことができた。
得られた人工歯は、バリも少なく、最大豊隆部にパーティングラインがなく審美性に優れたものであった。
【図面の簡単な説明】
【００５２】
【図１】この発明に使用される人工歯を成形するための成形型の一例を示し、（ａ）は基底部型、（ｂ）はコア部用型、（ｃ）はボディ部用型、（ｄ）はエナメル部用型である。
【図２】図１に示す成形型を用いて人工歯を成形する工程において、基底部型とコア部用型でキャビティを形成する説明図である。
【図３】図１に示す成形型を用いて人工歯を成形する工程において、コア部が成形され、コア部用型を取り外した説明図である。
【図４】図１に示す成形型を用いて人工歯を成形する工程において、成形されたコア部が残った基底部型とボディ部用型でキャビティを形成する説明図である。
【図５】図１に示す成形型を用いて人工歯を成形する工程において、ボディ部がコア部に積層され、ボディ部用型を取り外した説明図である。
【図６】図１に示す成形型を用いて人工歯を成形する工程において、ボディ部がコア部に積層された状態の基底部型とエナメル部用型でキャビティを形成する説明図である。
【図７】図１に示す成形型を用いて人工歯を成形する工程において、エナメル部がボディ部に積層され、エナメル部用型を取り外した説明図である。
【図８】図１に示す成形型を用いて成形された３層の人工歯の一例の説明図である。
【図９】人工歯が義歯床に埋設接着された状態の説明図である。
【図１０】補強枠の説明図である。
【図１１】この発明に使用される成形型の他例を示し、（ａ）はエナメル部用型、（ｂ）はボディ部用型、（ｃ）はコア部用型、（ｄ）基底部型を示す。
【図１２】図１１に示す成形型を用いて人工歯を成形する工程において、エナメル部用型とボディ部用型でキャビティを形成する説明図である。
【図１３】図１１に示す成形型を用いて人工歯を成形する工程において、エナメル部が成形され、ボディ部用型を取り外した説明図である。
【図１４】図１１に示す成形型を用いて人工歯を成形する工程において、成形されたエナメル部が残ったエナメル部用型とコア部用型でキャビティを形成する説明図である。
【図１５】図１１に示す成形型を用いて人工歯を成形する工程において、ボディ部がエナメル部に積層され、コア部用型を取り外した説明図である。
【図１６】図１１に示す成形型を用いて人工歯を成形する工程において、ボディ部がエナメル部に積層された状態のエナメル部用型と基底部型でキャビティを形成する説明図である。
【図１７】図１１に示す成形型を用いて人工歯を成形する工程において、コア部がボディ部に積層され、エナメル用部型を取り外した説明図である。
【図１８】この発明に使用される成形型のさらに他例を示し、（ａ）は基底部型、（ｂ）はコア部用型、（ｃ）はボディ部用型、（ｄ）はエナメル部用型である。
【図１９】図１８に示す成形型を用いて成形された３層の人工歯の他例の説明図である。
【図２０】この発明に使用される成形型のさらに他例を示し、（ａ）は側面図、（ｂ）は、Ａ−Ａ線断面図である。
【図２１】従来の人工歯の成形に使用される金型を示し、（ａ）は側面図、（ｂ）は、Ｂ−Ｂ線断面図である。
【図２２】従来の３層の人工歯の説明図である。
【図２３】従来の人工歯の成形に使用される金型を示し、（ａ）は舌側部用型、（ｂ）はコア部用型、（ｃ）はボディ部用型、（ｄ）はエナメル部用型である。
【図２４】天然の前歯の説明図である。
【図２５】従来の人工歯の成形金型によって成形された維持孔を有する人工歯の説明図である。
【符号の説明】
【００５３】
１、２４、３１  基底部型
２、２３、３２  コア部用型
３、２２、３３  ボディ部用型
４、２１、３４  エナメル部用型
１５、２９  人工歯
１６  維持孔
２８  維持突起
【図１】
2005066166.tif 000003
【図２】
2005066166.tif 000004
【図３】
2005066166.tif 000005
【図４】
2005066166.tif 000006
【図５】
2005066166.tif 000007
【図６】
2005066166.tif 000008
【図７】
2005066166.tif 000009
【図８】
2005066166.tif 000010
【図９】
2005066166.tif 000011
【図１０】
2005066166.tif 000012
【図１１】
2005066166.tif 000013
【図１２】
2005066166.tif 000014
【図１３】
2005066166.tif 000015
【図１４】
2005066166.tif 000016
【図１５】
2005066166.tif 000017
【図１６】
2005066166.tif 000018
【図１７】
2005066166.tif 000019
【図１８】
2005066166.tif 000020
【図１９】
2005066166.tif 000021
【図２０】
2005066166.tif 000022
【図２１】
2005066166.tif 000023
【図２２】
2005066166.tif 000024
【図２３】
2005066166.tif 000025
【図２４】
2005066166.tif 000026
【図２５】
2005066166.tif 000027